(57)【要約】【解決課題】互いに嵌合可能な内側筒状体及び外側筒状体を組み付けてなる包装容器であって、内側筒状体及び外側筒状体が係脱容易であり、軸方向長又は外径が異なる種々の被収納物に対応可能な包装容器を提供する。【解決手段】互いに嵌合可能な内側筒状体（１０）及び外側筒状体（２０）を組み付けてなる包装容器（１）において、前記内側筒状体（１０）は、案内溝（１１）と、少なくとも１つの係合溝（１２）とを有し、前記外側筒状体（２０）は、第一の案内用傾斜部（２１ａ）が設けられた少なくとも１つの内方突条部（２１）を有し、前記外側筒状体（２０）が、前記内側筒状体（１０）に対して、該内方突条部（２１）が該案内溝（１１）に軸方向に挿入されつつ嵌合された後、該外側筒状体（２０）が回転されることにより、該内方突条部（２１）が該第一案内用傾斜部（２１ａ）の案内により該係合溝（１２）内に進入して係止される包装容器。【選択図】              図１
2004323081.tif 000002
【特許請求の範囲】
【請求項１】
互いに嵌合可能な内側筒状体（１０）及び外側筒状体（２０）を組み付けてなる包装容器（１）において、
前記内側筒状体（１０）は、その筒状部（１６）の外周面において、その略軸方向に延びる少なくとも１つの案内溝（１１）と、該案内溝（１１）の一の側縁（１１ａ）から該内側筒状体（１０）の略周方向に延びる少なくとも１つの係合溝（１２）とを有し、
前記外側筒状体（２０）は、その筒状部（２３）において、内方へ突出する所定長の周方向内方突条部（２１）であって、略軸方向に沿って配列される少なくとも１つの前記内方突条部（２１）を有し、該内方突条部（２１）の一方端部（２１ａ）に半径方向に対して傾斜する第一の案内用傾斜部（２１ａ）が設けられ、
前記外側筒状体（２０）が、前記内側筒状体（１０）に対して、該内方突条部（２１）が該案内溝（１１）に軸方向に挿入されつつ嵌合された後、該外側筒状体（２０）が回転されることにより、該内方突条部（２１）が該第一案内用傾斜部（２１ａ）の案内により該係合溝（１２）内に進入して係止される、
ことを特徴とする包装容器。
【請求項２】
請求項１記載の包装容器（１）において、
前記内側筒状体（１０）は、前記係合溝（１２）又はその延長線上の所定位置に少なくとも１つの係止突部（１４）を有し、
前記内方突条部（２１）が前記案内溝（１１）内に進入したとき、該内方突条部（２１）の他方端部（２１ｂ）が該係止突部（１４）により係止抜け止めされることを特徴とする包装容器。
【請求項３】
請求項１又は２に記載の包装容器（１）において、
前記内方突条部（２１）の前記他方端部（２１ｂ）に半径方向に対して傾斜する第二の案内用傾斜部（２１ｂ）が設けられることを特徴とする包装容器。
【請求項４】
請求項１乃至３の何れか１項に記載の包装容器（１）において、
前記内側筒状体（１０）は、前記係合溝（１２）を画成する係合溝画成部（１３）を有し、前記案内溝（１１）の前記一の側縁（１１ａ）に面する前記係合溝画成部の先端（１３ａ）に半径方向に対して傾斜する第三の案内用傾斜部（１３ａ）が設けられることを特徴とする包装容器。
【請求項５】
請求項１乃至４の何れか１項に記載の包装容器（１）において、
前記内側筒状体（１０）の底部（１５）及び前記外側筒状体（２０）の天井部（２２）の内少なくとも一方は、その略中央に前記包装容器の被収納物（２）を係止するための係止凹部（１５ａ，２２ａ）を有することを特徴とする包装容器。
【請求項６】
請求項１乃至５の何れか１項に記載の包装容器（１）において、
前記内側筒状体（１０）及び前記外側筒状体（２０）は夫々、その筒状部（１６，２３）の外周面の所定位置に周方向に延びるマーク部（１６ａ，２３ａ）を有することを特徴とする包装容器。
【請求項７】
互いに嵌合可能な内側筒状体（１０）及び外側筒状体（２０）を組み付けてなる包装容器（１）において、
前記内側筒状体（１０）は、その筒状部（１６）の外周面において、その略軸方向に延びる少なくとも１つの案内溝（１１）と、該案内溝（１１）の一の側縁（１１ａ）から該内側筒状体（１０）の略周方向に延びる少なくとも１つの係合溝（１２）と、該係合溝（１２）を画成する係合溝画成部（１３）とを有し、該案内溝（１１）の該一の側縁（１１ａ）に面する該係合溝画成部の先端（１３ａ）に半径方向に対して傾斜する第三の案内用傾斜部（１３ａ）が設けられ、
前記外側筒状体（２０）は、その筒状部（２３）において、内方へ突出する所定長の周方向内方突条部（２１）であって、略軸方向に沿って配列される少なくとも１つの前記内方突条部（２１）を有し、
前記外側筒状体（２０）が、前記内側筒状体（１０）に対して、該内方突条部（２１）が該案内溝（１１）に軸方向に挿入されつつ嵌合された後、該外側筒状体（２０）が回転されることにより、該内方突条部（２１）が該第三案内用傾斜部（１３ａ）の案内により該係合溝（１２）内に進入して係止される、
ことを特徴とする包装容器。
【請求項８】
請求項１乃至７の何れか１項に記載の包装容器（１）において、
前記内側筒状体（１０）の内側断面形と略等しい外形を有する平板部であって、被収納物（２，２ａ，２ｃ）を保持するための少なくとも１つの保持穴（３１ａ，３１ｂ）が所定位置に設けられた前記平板部（３１）と、
該保持穴（３１ａ，３１ｂ）の周縁から下方へ向けて、径が漸次小さくなるテーパ状に設けられた少なくとも１つのテーパ状保持筒状体（３２）とを具備する保持アダプター（３０）であって、該保持アダプター（３０）は単体でも使用可能であり、又は２つ以上の該保持アダプター（３０）を各々のテーパ状保持筒状体（３２）を軸方向に嵌合させた状態でも使用可能である少なくとも１つの前記保持アダプター（３０）を有することを特徴とする包装容器。
【請求項９】
包装容器（１）に使用される保持アダプター（３０）において、
前記包装容器（１）の内側断面形と略等しい外形を有する平板部であって、被収納物（２，２ａ，２ｃ）を保持するための少なくとも１つの保持穴（３１ａ，３１ｂ）が所定位置に設けられた前記平板部（３１）と、
該保持穴（３１ａ，３１ｂ）の周縁から下方へ向けて、径が漸次小さくなるテーパ状に設けられた少なくとも１つのテーパ状保持筒状体（３２）とを具備し、
該保持アダプター（３０）は単体でも使用可能であり、又は２つ以上の該保持アダプター（３０）を各々のテーパ状保持筒状体（３２）を軸方向に嵌合させた状態でも使用可能である、
ことを特徴とする保持アダプター。
【発明の詳細な説明】
【０００１】
【産業上の利用分野】
本発明は、コアドリル組立体等の物品を収納する互いに嵌合可能な内側筒状体及び外側筒状体を組み付けてなる包装容器に関し、特に内側筒状体及び外側筒状体が係脱容易であり、軸方向長又は外径が異なる種々の被収納物に対応可能な包装容器に関する。
【０００２】
【従来の技術】
コアドリル本体、コアドリル本体とセンタードリルとシャンク部とを組み付けてなるコアドリル組立体、コンクリートドリル（ハンマードリル）、アンカー、及びホールソー等の工具（以下適宜「被収納物」という）は、その用途の違い（例えば穿孔対象材料又は作業場所）により、その軸方向長が異なる。
【０００３】
これら軸方向長が異なる種々の工具に対応する包装容器を提供すべく、互いに嵌合可能な内側筒状体及び外側筒状体を組み付けてなり、前記内側筒状体は、その筒状部の外周面において、その略軸方向に延びる少なくとも１つの案内溝と、該案内溝の一の側縁から該内側筒状体の略周方向に延びる少なくとも１つの係合溝とを有し、前記外側筒状体は、その筒状部において、内方へ突出する内方突出部であって、略軸方向に沿って配列される少なくとも１つの前記内方突出部を有し、前記外側筒状体が、前記内側筒状体に対して、該内方突出部が該案内溝に軸方向に挿入されつつ嵌合された後、該外側筒状体が回転されることにより、該内方突出部が該係合溝内に進入して係止される構成を有する包装容器（以下、「第一の従来品」という）が提案されている（例えば、特許文献１参照。）。
【０００４】
しかし、上記「第一の従来品」は、係合溝及び突出部の係合強度を確保するために、「係合溝の進入口を内方突出部の直径より僅かに小さく」する必要がある。このため、外側筒状体の各内方突出部が、内側筒状体の対応する各係合溝部の延長線上に正しく対応しないで、これからわずかな距離だけ軸方向に位置ずれした状態で各係合溝間に形成される係合溝画成部の延長線上に位置決めされる場合には、操作者が意図的に外側筒状体を内側筒状体に対して予め上記位置ずれ距離を修正移動させる必要があり、内方突出部及び係合溝を容易に係合できない問題点がある。
【０００５】
他方、係合溝を画成する係合溝画成部に内方突出部を案内して係合溝にスムーズに係合できるよう軸方向案内斜面を設けている包装容器（以下、「第二の従来品」という）もある（例えば、特許文献２参照。）。
【０００６】
【特許文献１】
特開昭５０−１４４２００号公報  （第２頁（特許請求の範囲）、図１乃至図８）
【特許文献２】
特開２００１−１６３３８４号公報  （第２頁（特許請求の範囲）、図１乃至図８）
【０００７】
【発明が解決しようとする課題】
しかしながら、「第二の従来品」の包装容器は、操作者の力の作用方向（円周方向）は軸方向案内斜面の案内方向とは異なり、また包装容器の材料であるポリエチレン等の合成樹脂材は比較的摩擦係数が大きいため、内方突出部が軸方向案内斜面によって係合溝にスムーズに案内されず、操作者は、外側筒状体を内側筒状体に対して相対的に回転させつつ意図的に内側筒状体又は外側筒状体を軸方向へ相応の力を作用させて修正移動して内方突出部を係合溝に係合させる必要がある。
【０００８】
したがって、このような軸方向案内斜面を係合溝画成部に設けることによっては、上記問題点を十分に解決できない。
また、包装容器を外側筒状体の手提げ部により持ち上げる場合は、各係合溝及び各内方突出部の軸直交方向接触部分により、内側筒状体に作用した被収納物の重量を支えるが、上記「第一の従来品」及び「第二の従来品」は、各係合溝及び各内方突出部の軸直交方向接触面積が比較的小さいため、比較的重量のある被収納物に耐用するためには、各係合溝及び各内方突出部の係合面積を大きくすべく、一列あたりの内方突出部の個数を多くするか、係合溝及び内方突出部の列数を多くする必要があり、包装容器の構成が複雑になることに起因して包装容器の製造コストがかさむ問題点がある。
【０００９】
さらに、上記「第一の従来品」及び「第二の従来品」は、異なる外径を有する種々の被収納物について同じ容器を兼用できない問題点がある。
【００１０】
【課題を解決するための手段】
上記問題点を解決するための本発明の包装容器は、互いに嵌合可能な内側筒状体及び外側筒状体を組み付けてなり、前記内側筒状体は、その筒状部の外周面において、その略軸方向に延びる少なくとも１つの案内溝と、該案内溝の一の側縁から該内側筒状体の略周方向に延びる少なくとも１つの係合溝とを有し、前記外側筒状体は、その筒状部において、内方へ突出する所定長の周方向内方突条部であって、略軸方向に沿って配列される少なくとも１つの前記内方突条部を有し、該内方突条部の一方端部に半径方向に対して傾斜する第一の案内用傾斜部が設けられ、前記外側筒状体が、前記内側筒状体に対して、該内方突条部が該案内溝に軸方向に挿入されつつ嵌合された後、該外側筒状体が回転されることにより、該内方突条部が該第一案内用傾斜部の案内により該係合溝内に進入して係止される
ことを特徴とする。
【００１１】
また好ましくは、前記内側筒状体は、前記係合溝又はその延長線上の所定位置に少なくとも１つの係止突部を有し、前記内方突条部が前記案内溝内に進入したとき、該内方突条部の他方端部が該係止突部により係止抜け止めされる。
【００１２】
また好ましくは、前記内方突条部の前記他方端部に半径方向に対して傾斜する第二の案内用傾斜部が設けられる。
また好ましくは、前記内側筒状体は、前記係合溝を画成する係合溝画成部を有し、前記案内溝の前記一の側縁に面する前記係合溝画成部の先端に半径方向に対して傾斜する第三の案内用傾斜部が設けられる。
【００１３】
また好ましくは、前記内側筒状体の底部及び前記外側筒状体の底部の内少なくとも一方は、その略中央に前記包装容器の被収納物を係止するための係止凹部を有する。
【００１４】
また好ましくは、前記内側筒状体及び前記外側筒状体は夫々、その筒状部の外周面の所定位置に周方向に延びるマーク部を有する。
上記問題点を解決するための本発明の包装容器は、互いに嵌合可能な内側筒状体及び外側筒状体を組み付けてなり、前記内側筒状体は、その筒状部の外周面において、その略軸方向に延びる少なくとも１つの案内溝と、該案内溝の一の側縁から該内側筒状体の略周方向に延びる少なくとも１つの係合溝と、該係合溝を画成する係合溝画成部とを有し、該案内溝の該一の側縁に面する該係合溝画成部の先端に半径方向に対して傾斜する第三の案内用傾斜部が設けられ、前記外側筒状体は、その筒状部において、内方へ突出する所定長の周方向内方突条部であって、略軸方向に沿って配列される少なくとも１つの前記内方突条部を有し、前記外側筒状体が、前記内側筒状体に対して、該内方突条部が該案内溝に軸方向に挿入されつつ嵌合された後、該外側筒状体が回転されることにより、該内方突条部が該第三案内用傾斜部の案内により該係合溝内に進入して係止されることを特徴とする。
【００１５】
また好ましくは、前記内側筒状体の内側断面形と略等しい外形を有する平板部であって、被収納物を保持するための少なくとも１つの保持穴が所定位置に設けられた前記平板部と、該保持穴の周縁から下方へ向けて、径が漸次小さくなるテーパ状に設けられた少なくとも１つのテーパ状保持筒状体とを具備する保持アダプターであって、該保持アダプターは単体でも使用可能であり、又は２つ以上の該保持アダプターを各々のテーパ状保持筒状体を軸方向に嵌合させた状態でも使用可能である少なくとも１つの前記保持アダプタを有する。
【００１６】
上記問題点を解決するための本発明の包装容器用保持アダプターは、前記包装容器の内側断面形と略等しい外形を有する平板部であって、被収納物を保持するための少なくとも１つの保持穴が所定位置に設けられた前記平板部と、該保持穴の周縁から下方へ向けて、径が漸次小さくなるテーパ状に設けられた少なくとも１つのテーパ状保持筒状体とを具備し、該保持アダプターは単体でも使用可能であり、又は２つ以上の該保持アダプターを各々のテーパ状保持筒状体を軸方向に嵌合させた状態でも使用可能であることを特徴とする。
【００１７】
【発明の実施の形態】
本発明に係る包装用器の第一の実施例を図１乃至図１２を使用して説明する。
図１中、包装容器１は、互いに嵌合可能な内側筒状体１０及び外側筒状体２０を組み付けてなり、コアドリル組立体２を収納している。コアドリル組立体２は、大略、センタードリル２ａ、シャンク部２ｂ及びコアドリル本体２ｃからなる。
【００１８】
図２中、内側筒状体１０は、ポリプロピレン等の透明又は半透明の樹脂からなり、その一方端に底部１５を備える筒状体であり、その開口端から軸方向に所定長さ延びる円筒部分を有する。その円筒部分の筒状部１６の外周面において、その開口端から軸方向に延びる２つの所定長の案内溝１１が、直径方向対称位置に設けられる。また、周方向溝部１６ａは、図２に示す如く、筒状部１６の外周面の軸方向所定位置において周方向全体に沿って延びるよう設けられる。ここで、内側筒状体１０は、成形容易且つ所要強度を有する段ボール紙又は金属等の他の材料からなってもよい。また、円筒部分の筒状部１６の外周面に設けられる案内溝１１は、１つでもよい。
【００１９】
複数の係合溝１２は、各案内溝１１の一の側縁１１ａから内側筒状体１０の周方向に延びるよう設けられ、これにより、相対的に係合溝１２間に筒状部１６と同一の径位置に複数の係合溝画成部１３が形成される。係合溝画成部１３は、案内溝１１の一の側縁１１ａに面する先端１３ａにおいて、図２に示す如く、内側筒状体１０の半径方向に対して傾斜する第三の案内用傾斜部としての案内用傾斜部１３ａが設けられる。係止突部１４は、各係合溝１２において案内溝１１の一の側縁１１ａにおいて各係合溝１２の周方向延長対応位置に設けられる。ここで、係止突部１４は、係合溝１２内の所定位置に設けられてもよい。なお、図２中６−６線に沿う断面を図６に示す。
【００２０】
図１２は、コアドリル組立体２を収納した内側筒状体１０の底部１５近傍の断面を示す。シャンク係止凹部１５ａは、底部１５の内側中心部に設けられ、図１２に示す如く、シャンク部２ｂがシャンク係止凹部１５ａにより係止される。
【００２１】
図３中、外側筒状体２０は、ポリプロピレン等の透明又は半透明の樹脂からなり、その一方端に天井部２２を備える筒状体であり、その開口端から軸方向に所定長さ延びる円筒部分を有する。その円筒部分の筒状部２３において、半径方向内方へ突出する可撓性の周方向内方突条部２１であって、その開口端近傍から略軸方向に沿って配列される複数の周方向内方突条部２１を有する。なお、図３中７−７線に沿う断面を図７に示す。ここで、外側筒状体２０は、成形容易且つ所要強度を有する段ボール紙又は金属等の他の材料からなってもよい。
【００２２】
内方突条部２１の両端には夫々、図７に示す如く、半径方向に対して傾斜する第一の案内用傾斜部としての前方案内用傾斜部２１ａ及び第二の案内用傾斜部としての後方案内用傾斜部２１ｂが設けられる。なお、内方突条部２１の長さは、係合溝１２の終端及び係止突部１４間の長さに略等しいことが好ましい。
【００２３】
刃物係止凹部２２ａは、天井部２２の内側中心部に設けられ、図１に示す如く、センタードリル２ａが刃物係止凹部２２ａにより係止される。図３に示す如く、手提げ部２４は、包装容器１を持ち運びできるよう天井部２２の上方に設けられる。また、周方向溝部２３ａは、筒状部２３の外周面の軸方向所定位置において周方向全体に沿って延びるよう設けられる。
【００２４】
次に、包装容器１の使用方法について説明する。
先ず、包装容器１を閉じる場合について説明する。
コアドリル組立体２を内側筒状体１０内に収納した後、外側筒状体２０を内側筒状体１０に対して、内方突条部２１が案内溝１１に軸方向に挿入されつつ嵌合させる（図４、図８及び図１０参照）。この際、外側筒状体２０は、内側筒状体１０に対して、コアドリル組立体２のセンタードリル２ａ及びシャンク部２ｂが夫々外側筒状体２０の刃物係止凹部２２ａの下面及び内側筒状体１０のシャンク係止凹部１５ａの下面に当接することにより、コアドリル組立体２の全長に対応するよう軸方向に位置決めされる（図１及び図１２参照）。このとき、外側筒状体２０の各内方突条部２１は、内側筒状体１０の対応する各係合溝部１２の延長線上に正しく対応する。ここで、内方突条部２１は係止突部１４により係止されるため、内方突条部２１を係止するために係合溝１２の進入口を内方突条部２１の幅より小さくする必要がないため、外側筒状体２０の各内方突条部２１が、上記正しい対応位置に配される確率は、上記「第一従来品」及び「第二従来品」に比して高くなる。
【００２５】
その後、外側筒状体２０が内側筒状体１０に対して図４、図８及び図１０中Ａ方向へ相対的に回転されることにより、各内方突条部２１が各係合溝１２内に進入して係止されるとともに、内方突条部２１の他方端部２１ｂが係止突部１４により係止抜け止めされる（図５、図９及び図１１参照）。コアドリル組立体２は、センタードリル２ａ及びシャンク部２ｂが夫々、図１及び図１２に示す如く、外側筒状体２０の刃物係止凹部２２ａ及び内側筒状体１０のシャンク係止凹部１５ａに対して係止されることにより、包装容器１内に保持される。
【００２６】
ところで、外側筒状体２０の各内方突条部２１が、内側筒状体１０の対応する各係合溝部１２の延長線上に正しく対応しないで、これから所定距離だけ軸方向に位置ずれした状態で、各係合溝画成部１３の延長線上に位置決めされる場合もある。
【００２７】
この場合は、外側筒状体２０が内側筒状体１０に対して相対的に回転されるとき、先ず内方突条部２１の前方案内用傾斜部２１ａが、係合溝画成部１３の案内用傾斜部１３ａに乗り上げる。これにより、操作者が外側筒状体２０又は内側筒状体１０に対して相対的に軸方向にさほどの力を作用させる必要なく、各内方突条部２１は、前方案内用傾斜部２１ａ及び案内用傾斜部１３ａの互いの傾斜角の案内により上記軸方向所定距離だけ上記正しい対応位置の方へ容易に修正移動してスムーズに各係合溝部１３に係合する。ここで、斯かる場合に操作者がさほどの上記軸方向力を作用させる必要がない主な理由としては、前方案内用傾斜部２１ａ及び案内用傾斜部１３ａに傾斜角が設けられていることにより、操作者が外側筒状体２０を上記回転されるために作用させる周方向の力の前方案内用傾斜部２１ａ及び案内用傾斜部１３ａの接触平面における該平面直交方向分力は該周方向力より小さいため、このような傾斜角が設けられていない場合に比較して、内方突条部を係合溝に嵌めるために軸方向へスライドさせる動きに対する摩擦抵抗が小さくなることが考えられる。
【００２８】
したがって、このような場合においても、操作者が意図的に外側筒状体２０を内側筒状体１０に対して予め上記軸方向所定距離を修正移動させる必要なく、各内方突条部２１を各係合溝１２に対してスムーズに係合させることが可能である。
【００２９】
また、内方突条部２１及び係合溝部１３の軸直交方向接触面積が大きいため、包装容器１に比較的重い被収納物を収納することにより内側筒状体１０及び外側筒状体２０が軸方向に離間するよう大きな力が作用した場合においても、内方突条部２１及び係合溝部１３の係合は容易に解除されない。
【００３０】
続いて、包装容器１を開ける場合について説明する。
外側筒状体２０を内側筒状体１０に対して、図５、図９及び図１１中Ｂ方向へ相対的に回転させる。この際、内方突条部２１の前方案内用傾斜部２１ｂが係止突部１４に乗り上げることにより、内方突条部２１及び係止突部１４の係合をスムーズに解除することができる。その後、外側筒状体２０を内側筒状体１０から軸方向に離間させることにより包装容器１を開けることができる。
【００３１】
周方向溝部１６ａ，２３ａに沿って内側筒状体１０及び外側筒状体２０を夫々切断することにより、これら筒状体１０、２０の軸方向長を被収納物の軸方向長に対応するよう調節することが可能である。
【００３２】
なお、勿論、包装容器１は、コンクリートドリル（ハンマードリル）、アンカー、ホールソー等の他の物品を収納することができる。また、係合溝部１２及び内方突条部２１の係合強度が所要強度である場合は、内側筒状体１０は係止突部１４を有さなくともよい。さらに、包装容器１は、内方突条部２１の前方案内用傾斜部２１ａ及び係合溝画成部１３の案内用傾斜部１３ａの内いずれか一方を有さなくともよい。
【００３３】
次に、本発明に係る包装用器の第二の実施例を図１３を使用して説明する。
図１３中、包装容器１Ａは、図１に示す包装容器１についてその軸方向直交断面の内径を大きく設定した包装容器であり、互いに嵌合可能な内側筒状体１０Ａ及び外側筒状体２０Ａを組み付けてなる。なお、図１３中、図５と同一部分には同一符号を付してその説明を省略すると共に対応する部材には図５の符号に「Ａ」を付加して示す。
【００３４】
４つの案内溝１１Ａは、内側筒状体１０Ａの筒状部の外周面に周方向等分位置に設けられる（包装容器１Ａの背面に配された２つの案内溝１１Ａについては、図示せず）。内側筒状体１０Ａは、包装容器１の内側筒状体１０と同様に係合溝１２Ａ、係合溝画成部１３Ａ、及び係止突部１４Ａが設けられる。案内溝１１Ａに挿入可能な複数の周方向に延びる内方突条部２１Ａは、外側筒状体２０Ａの外周面の周方向等分位置に設けられる。包装容器１Ａの使用方法は、上記包装容器の第一実施例と同様である。
【００３５】
内方突条部２１Ａの列数を、例えば本第二実施例の如く４つと多く設けることにより、各係合溝１２Ａ及び各内方突条部２１Ａの軸直交方向接触面積を大きくできるため、特に比較的径が大きく重量の重い被収納物の重量を支えることが可能である。
【００３６】
次に、本発明に係る包装用器の第三の実施例を図１４及び図１５を使用して説明する。
図１４中、保持アダプター３０は、大略、内側筒状体１０の内側断面形と略等しい外形を有する円形平板部３１及び３つのテーパ状保持筒状体３２を一体的に構成してなる。
【００３７】
円形平板部３１は、コアドリル組立体２等を保持するための３つの比較的口径の大きい保持穴３１ａ、及びセンタードリル２ａ等を保持するための３つの比較的口径の小さい保持穴３１ｂが、図１４に示す如く、互い違いに周方向等分位置に設けられる。なお、保持穴３１ａ、３１ｂは、上記配置位置に設けられなくとも、適宜ランダムな位置に配されてもよい。テーパ状保持筒状体３２は、保持穴３１ａの周縁から下方へ向けて、径がＤからｄへ漸次小さくなるテーパ状に設けられる。
【００３８】
続いて、本第三実施例の組み付け及び使用方法について説明する。
図１４及び図１５に示す如く、夫々対応する各テーパ状保持筒状体３２を軸方向に嵌合させて、組合わせ筒状体３２の軸方向長さを調整された２つの保持アダプター３０を内側筒状体１０内に配設した後、各保持穴３１ａ、３１ｂ内にコアドリル組立体２、コアドリル本体２ｃ及びセンタードリル２ａを挿通する。外側筒状体２０を内側筒状体１０に嵌合させることにより包装容器１を閉じることができる。包装容器１を開ける方法は上記第一実施例と同様である。
【００３９】
これにより、包装容器１の内径が各コアドリル組立体２、コアドリル本体２ｃ及びセンタードリル２ａに比して大きい場合に、複数のコアドリル組立体２等を包装容器１内に収納保持することが可能である。
【００４０】
なお、保持アダプター３０に設けられる保持穴３１ａ，３１ｂは、１つ、２つ又は４つ以上でもよい。１つの保持アダプター３０又は３つ以上の保持アダプター３０を適宜組合せて包装容器１に使用することが可能であり、また１以上の保持アダプター３０を包装容器１を伴わず単体で使用することも可能である。さらに、組合せ筒状体３２の最下段にあるテーパ状保持筒状体３２、又は単体で使用される保持アダプター３０のテーパ状保持筒状体３２の下方端は、有底でもよい。
【００４１】
【本発明の効果】
本発明の包装容器によれば、互いに嵌合可能な内側筒状体及び外側筒状体を組み付けてなる包装容器において、前記内側筒状体は、所定の案内溝と、所定の係合溝とを有し、前記外側筒状体は、所定の第一の案内用傾斜部が設けられた周方向内方突条部を有し、前記外側筒状体が、前記内側筒状体に対して、該内方突条部が該案内溝に軸方向に挿入されつつ嵌合された後、該外側筒状体が回転されることにより、該内方突条部が該第一案内用傾斜部の案内により該係合溝内に進入して係止されるため、次の利点を有する。
【００４２】
（１）本発明の包装容器は、その軸方向長が異なる種々の被収納物に対応可能である。
また、内側筒状体の係合溝及び外側筒状体の突条部をスムーズ且つ容易に係脱することが可能である。
【００４３】
さらに、各係合溝及び各突条部の軸直交方向接触面積が大きいため、特に比較的重量のある被収納物を収納する場合であっても、包装容器の構成を簡単にでき、これにより、包装容器の製造コストを低減できる。
【００４４】
（２）前記内側筒状体は、前記係合溝又はその延長線上の所定位置に少なくとも１つの係止突部を有し、該内方突条部の他方端部が該係止突部により係止抜け止めされるため、簡単な構成により外側筒状体の突条部を係止することが可能である。
【００４５】
また、内方突条部は係止突部により係止されるため、内方突条部を係止するために係合溝の進入口を内方突条部の幅より小さくする必要がない。したがって、外側筒状体の各内方突条部が内側筒状体の対応する各係合溝部１２の延長線上に正しく配される確率は、上記「第一従来品」及び「第二従来品」に比して高くなる。
【００４６】
（３）前記内方突条部の前記他方端部に半径方向に対して傾斜する第二の案内用傾斜部が設けられるため、外側筒状体の突条部及び係止突部の係合解除をスムーズ且つ容易にすることが可能である。
【００４７】
（４）前記内側筒状体は、係合溝画成部の先端に半径方向に対して傾斜する第三の案内用傾斜部が設けられるため、さらに内側筒状体の係合溝及び外側筒状体の突条部をスムーズ且つ容易に係合することが可能である。
【００４８】
（５）前記内側筒状体の底部及び前記外側筒状体の底部の内少なくとも一方は、係止凹部を有するため、包装容器は簡単な構成により被収納物を保持収納することが可能である。
【００４９】
（６）前記内側筒状体及び前記外側筒状体は夫々、所定位置にマーク部を有するため、これらマーク部に沿って内側筒状体及び外側筒状体を夫々切断することにより、これら筒状体の軸方向長を被収納物の軸方向長に対応するよう調節することが可能である。
【００５０】
（７）上記包装容器について、突条部が第一案内用傾斜部を有さず、係合溝画成部が第三案内用傾斜部を有する場合であっても、上記効果を奏することが可能であり、特に内側筒状体の係合溝及び外側筒状体の突条部をスムーズ且つ容易に係合することが可能である。
【００５１】
（８）本発明の包装容器は、前記内側筒状体の内側断面形と略等しい外形を有する平板部であって、被収納物を保持するための少なくとも１つの保持穴が所定位置に設けられた前記平板部と、該保持穴の周縁から下方へ向けて、径が漸次小さくなるテーパ状に設けられた少なくとも１つのテーパ状保持筒状体とを具備する保持アダプターであって、該保持アダプターは単体でも使用可能であり、又は２つ以上の該保持アダプターを各々のテーパ状保持筒状体を軸方向に嵌合させた状態でも使用可能である少なくとも１つの前記保持アダプターを有する。
【００５２】
したがって、本発明の包装容器は、外径が異なる種々の被収納物に対応可能である。
また、２つ以上の保持アダプターを適宜組み合わせることにより、１種類の保持アダプターにより、軸方向長の異なる種々の包装容器に対応可能である。これにより、軸方向長の異なる種々の保持アダプターを用意する必要が無く、その製造コストの低減化、並びに保管倉庫管理の簡素化及び管理コスト低減化が可能である。
【００５３】
（９）さらに、１以上の上記保持アダプターを包装容器を伴わず単体で、コアドリル組立体等の物品を保持するために使用することも可能である。
【図面の簡単な説明】
【図１】本発明の包装容器の１実施例を説明するためのコアドリル組立体を収納した包装容器の斜視図である。
【図２】図１中の包装容器を構成する内側筒状体の斜視図である。
【図３】図１中の包装容器を構成する外側筒状体の斜視図である。
【図４】本発明の包装容器の１実施例を説明するための包装容器について、内側筒状体及び外側筒状体を軸方向に嵌合したときの包装容器の正面図である。
【図５】図４中外側筒状体を内側筒状体に対して回転したときの包装容器の正面図である。
【図６】図２中の内側筒状体の６−６線に沿う断面図である。
【図７】図３中の内側筒状体の７−７線に沿う断面図である。
【図８】図４中の包装容器の８−８線に沿う断面図である。
【図９】図５中の包装容器の９−９線に沿う断面図である。
【図１０】図８中の断面図について、係合溝及び突条部を拡大した図である。
【図１１】図９中の断面図について、係合溝及び突条部を拡大した図である。
【図１２】図１中の包装容器についてコアドリル組立体のシャンク部が係止凹部によって係止されている状態を示す拡大断面図である。
【図１３】本発明の包装容器の他の実施例を説明するための包装容器の正面図である。
【図１４】本発明の包装容器の更に他の実施例を説明するための２つのセンタードリル、１つのコアドリル本体、１つのコアドリル組立体、２つの保持アダプター、及び１つの内側筒状体を組み付ける際のこれら物品の分解斜視図である。
【図１５】図１４中これら物品を組み付けた後外側筒状体によって閉じられた包装容器の正面図である。
【符号の説明】
１…包装容器
２…コアドリル組立体
１０…内側筒状体
１２…係合溝
１４…係止突部
２０…外側筒状体
２１…突条部
３０…保持アダプター
３１ａ，３１ｂ…保持穴
３２…テーパ状保持筒状体
【図１】
2004323081.tif 000003
【図２】
2004323081.tif 000004
【図３】
2004323081.tif 000005
【図４】
2004323081.tif 000006
【図５】
2004323081.tif 000007
【図６】
2004323081.tif 000008
【図７】
2004323081.tif 000009
【図８】
2004323081.tif 000010
【図９】
2004323081.tif 000011
【図１０】
2004323081.tif 000012
【図１１】
2004323081.tif 000013
【図１２】
2004323081.tif 000014
【図１３】
2004323081.tif 000015
【図１４】
2004323081.tif 000016
【図１５】
2004323081.tif 000017